(57)【特許請求の範囲】
【請求項１】
一方面が情報面、他方面が印字面となるカード媒体の供給側と排出側とが同一側に配置され、当該カード媒体を一ライン上で搬送させる搬送手段を備えるカードプリンタであって、
前記カード媒体の情報面及び印字面のそれぞれを撮像可能な撮像処理手段と、
前記カード媒体の前記撮像処理手段での撮像で確認された印字面に所定情報を印字する印字処理手段と、
前記カード媒体を処理毎に往路及び復路の少なくとも何れかでライン搬送させるものであり、前記搬送手段に対し、前記撮像処理手段による撮像では当該カード媒体を撮像に対応する第１搬送速度により搬送させ、前記印字処理手段による印字では当該カード媒体を印字に対応する第２搬送速度で搬送させる制御処理を含む制御部と、
を有することを特徴とするカードプリンタ。
【請求項２】
請求項１記載のカードプリンタであって、
前記カード媒体のカード情報を読み取る読取処理手段を搬送ライン上に備え、
前記制御部は、前記読取処理手段での読み取り時に前記カード媒体を当該読取処理手段の位置まで所定速度で搬送させて停止させる制御処理を行うことを特徴とするカードプリンタ。
【発明の詳細な説明】
【技術分野】
【０００１】
本発明は、カード媒体に対して少なくとも印字の機能を備えるカードプリンタに関する。
【背景技術】
【０００２】
近年、一般に使用されているカードは、その使用形態に応じて、紙媒体のカードからＩＣチップを備える接触型、非接触型のＩＣカードまで種々存在し、現在ＩＣチップを備えていないカードにおいても将来的にＩＣカード化されることも予測される。一方、カードには所持者の情報が表示記載され、この情報が変更された場合には追加情報を含む変更情報を裏面にプリンタで印字することも行われている。このようなプリンタにおいては、少なくとも印字面での確実な印字を小型の装置で実現できることが望まれる。
【０００３】
従来、既存のカードに追加情報などを印刷するものとして特許文献１に記載されているゲーム装置が知られている。特許文献１には、ゲームに使用されるカードとしてキャラクタやその属性などの印刷領域と後に印刷される追加印刷領域が設けられたものであり、当該カードが挿入口より挿入され、最初に鑑別装置で不正情報が印刷されていないかを鑑別し、真正のときにＣＣＤでカード全体を撮像し、印刷装置で追加印刷領域に追加情報を印刷する構成の装置が記載されている。
【先行技術文献】
【特許文献】
【０００４】
【特許文献１】特開２００９−０３４４１２号公報
【発明の概要】
【発明が解決しようとする課題】
【０００５】
ところで、真贋判定、撮像、印刷の各処理を行う場合、処理毎にカードの送り速度を当該処理に対応した速度で搬送しなければならず、特許文献１に記載されているゲーム装置のような大型の場合には、カードの送り速度を処理毎に逐一変化させることも可能であって一の装置内で実現することができる。しかしながら、上記各処理で次の処理領域に掛かるような配置で小型化する場合には処理毎にカードの送り速度を変化させることは極めて困難であるという問題がある。
【０００６】
そこで、本発明は上記課題に鑑みなされたもので、カード媒体に対して少なくとも印字面での確実な印字を含む処理構成で小型化を実現するカードプリンタを提供することを目的とする。
【課題を解決するための手段】
【０００７】
上記課題を解決するために、請求項１の発明では、一方面が情報面、他方面が印字面となるカード媒体の供給側と排出側とが同一側に配置され、当該カード媒体を一ライン上で搬送させる搬送手段を備えるカードプリンタであって、前記カード媒体の情報面及び印字面のそれぞれを撮像可能な撮像処理手段と、前記カード媒体の前記撮像処理手段での撮像で確認された印字面に所定情報を印字する印字処理手段と、前記カード媒体を処理毎に往路及び復路の少なくとも何れかでライン搬送させるものであり、前記搬送手段に対し、前記撮像処理手段による撮像では当該カード媒体を撮像に対応する第１搬送速度により搬送させ、前記印字処理手段による印字では当該カード媒体を印字に対応する第２搬送速度で搬送させる制御処理を含む制御部と、を有する構成とする。
【０００８】
請求項２の発明では、前記カード媒体のカード情報を読み取る読取処理手段を搬送ライン上に備え、前記制御部は、前記読取処理手段での読み取り時に前記カード媒体を当該読取処理手段の位置まで所定速度で搬送させて停止させる制御処理を行う構成とする。
【発明の効果】
【０００９】
請求項１の発明によれば、カード媒体の供給側と排出側とが同一側に配置され、当該カード媒体を一ライン上で搬送させる搬送手段を備え、制御部において、カード媒体を処理毎に往路及び復路の少なくとも何れかでライン搬送させものであり、撮像処理手段による撮像では当該カード媒体を撮像に対応する第１搬送速度により搬送させ、印字処理手段による印字では当該カード媒体を印字に対応する第２搬送速度で搬送させる制御処理を行う構成とすることにより、カード媒体の情報面や印字面を撮像することで印字面を確認して確実に印字することができ、また、撮像処理、印字処理の処理毎に往路及び復路の少なくとも何れかでライン搬送させることから、少なくとも撮像処理手段及び印字処理手段の各処理で次の処理領域に掛かるような配置とすることが可能となって装置の小型化を実現することができるものである。
【００１０】
請求項２の発明によれば、カード媒体のカード情報を読み取る読取処理手段を搬送ライン上に備えさせ、当該読取処理手段での読み取り時にカード媒体を当該読取処理手段の位置まで所定速度で搬送させて停止させる制御処理を行う構成とすることにより、さらなるカード媒体の真贋判定をも可能とし、構成要素を加えることによっても全体的に各処理で次の処理領域に掛かるような配置とすることが可能となって装置の小型化を実現することができるものである。
【図面の簡単な説明】
【００１１】
【図１】本発明に係るカードプリンタの外観等の説明図である。
【図２】図１のカードプリンタの内部要素の構成図である。
【図３】図２のカードプリンタの第１実施形態における動作説明図（１）である。
【図４】図２のカードプリンタの第１実施形態における動作説明図（２）である。
【図５】図２のカードプリンタの第２実施形態における動作説明図である。
【図６】図２のカードプリンタの第３実施形態における動作説明図である。
【発明を実施するための形態】
【００１２】
以下、本発明の実施形態を図により説明する。本実施形態では、カード媒体の撮像処理及び印字処理を、プリンタのカード媒体供給側から往路のみのライン搬送で行う場合を示すが、何れかの処理を復路で行わせてもよいものである。また、本発明の対象となるカード媒体は、単に紙製や樹脂製フィルムのものからＩＣカード類まで適用することができるが、本実施形態では非接触型ＩＣカードを対象として説明する。
【００１３】
図１に、本発明に係るカードプリンタの外観等の説明図を示す。図１（Ａ）は、カードプリンタ１１の外観を示したもので、カード媒体の供給側のカード挿入口１２とカード媒体の排出側のカードスタッカ１３とが同一側（前面側とする）に配置されたものである。カード媒体は、単一でカード挿入口１２より挿入することも可能であると共に、供給側カバー１４をポップアップして後述の図２で示すカード供給部に所定枚数（例えば１０枚）積み重ね、１枚ずつ供給することも可能である。なお、供給側カバー１４に続いて奥側に印字領域カバー１５及び最奥にメンテナンスカバー１６が配置され、共にポップアップできる構造となっている。
【００１４】
図１（Ｂ）、（Ｃ）は、カード媒体２１を示したもので、ここでは上述のように非接触型ＩＣカードとして、例えば身分証明書として所有者の情報等を備えるＩＣチップを備えたものとして示している。図１（Ｂ）は、カード媒体２１の一方面を情報面２２Ａとして示したもので、所有者の氏名等の情報が表記されている。一方、図１（Ｃ）は、カード媒体２１の他方面を印字面２２Ｂとして示したもので、情報面２２Ａに表記された情報に変更があった場合に、変更情報を印字面２２Ｂに印字するものである。
【００１５】
例えば、カード媒体２１を、短辺約５４ｍｍ、長辺約８５ｍｍ（およそ運転免許証と同大）とした場合、当該カード媒体２１の短辺側を先頭として図１（Ａ）のカード挿入口１２に挿入（又は図２で示すカード供給部に積み重ね）する形態において、図１（Ａ）に示す本発明に係るカードプリンタ１１の奥行きを約４８０ｍｍとすることができ、小型化を実現している。
【００１６】
続いて、図２に、図１のカードプリンタの内部要素の構成図を示す。図２において、図１（Ａ）のカード挿入口１２の部分がカード供給部３１となる。当該カード供給部３１の下方に図１（Ａ）に示すカードスタッカ１３が配置される。カード供給部３１は、載置台３１Ａと規制板３１Ｂで空間領域が形成され、当該載置台３１Ａにカード媒体２１の存在を検知する第１検出センサ３２が設けられる。
【００１７】
当該第１検出センサ３２は、光学系のセンサでもよく、機械式のスイッチセンサを用いてもよい。機械式のスイッチセンサを用いた場合、載置台３１Ａに載置状態となったカード媒体２１の重さにより検知することとなる。
【００１８】
カード供給部３１は、載置台３１Ａに沿って下流側に供給ローラ３３，３４が連続して配置されると共に、その直後に可動切替板３５が配置される。可動切替板３５は、例えば可動軸にバネを設け、カード供給していないときには上方位置としてカードスタッカ１３にカード媒体２１を排出できるようにしており、カード媒体２１が通過するときにその搬送力により下方に可動して後述の搬送ローラ３６に当該カード媒体２１を導く。上記供給ローラ３３，３４は、後述の第１駆動部（例えば駆動モータ）６２により、例えば従動ローラとして駆動されるもので、第１搬送系と称する。
【００１９】
上記可動切替板３５の下流側に、搬送ローラ３６（対向するフリーローラ４０と対）が配置され、上下で構成される搬送ガイド部４１を介して搬送ローラ３７（対向するフリーローラ４０と対）が配置される。上記搬送ローラ３６の下流側近傍には第２検出センサ４２が設けられると共に、当該ガイド部４１の近傍には読取処理手段であるカード読取部４３が設けられる。
【００２０】
上記第２検出センサ４２は、例えば光学系のセンサであり、その検出による動作処理は図４、図６で説明する。上記カード読取部４３は、非接触でカード媒体２１と通信を行って識別情報やカード情報などを読み取り、正規品のカード媒体２１であるかどうかの真贋判定などに供するものである。
【００２１】
搬送ローラ３７の下流側に、搬送ガイド部５２を介して印字ローラ３８が配置され、これよりさらに搬送ガイド部５２を介して搬送ローラ３９（対向するフリーローラ４０と対）が配置される。印字ローラ３８の上方に印字ヘッド４４が配置され、熱転写フィルムユニット４５より供給される熱転写フィルム４６が当該印字ヘッド４４と印字ローラ３８との間に位置される。印字ヘッド４４は後述の制御部６１からの印字制御信号に応じて駆動される。上記印字ヘッド４４及び熱転写フィルムユニット４５が印字処理手段を構成する。なお、保護部材４７は熱転写フィルム４６が搬送ローラ３７に接触するのを防止している。
【００２２】
上記印字ローラ３８は、後述の第２駆動部（例えば駆動モータ）６３により、例えば駆動ローラとして駆動され、ギアなどを介して搬送ローラ３６，３７，３９を従動ローラとして駆動するもので、第２搬送系と称する。
【００２３】
搬送ローラ３９の下流側に第３検出センサ４８が設けられた搬送ガイド部５２を介して撮像処理手段であるスキャナ部４９が配置される。上記第３検出センサ４８は、例えば光学系のセンサであり、その検出による動作処理は図３、図５で説明する。上記スキャナ部４９は、例えばカード媒体２１の情報面２２Ａを撮像する第１ラインセンサ４９Ａと、印字面２２Ｂを撮像する第２ラインセンサ４９Ｂとを上下対向して備える。
【００２４】
スキャナ部４９で撮像したそれぞれのスキャンデータ（撮像データ）は後述の制御部６１に送られる。処理内容に応じて一方のスキャンデータしか使用しない場合もあるが（図５で説明する）、常に両方を撮像することとしてもよく、当該処理内容に応じて一方のラインセンサだけによる撮像指示でもよい。
【００２５】
上記スキャナ部４９の下流側に搬送ガイド部５２を介して搬送ローラ５０（対向するフリーローラ４０と対）及び搬送ローラ５１（対向するフリーローラと対）がガイド部５３Ａと一体（対向するそれぞれのフリーローラ同士もガイド部５３Ｂと一体）で配置される。当該搬送ローラ５０，５１は、後述の第３駆動部（例えば駆動モータ）６４により、例えば従動ローラとして駆動されるもので、第３搬送系と称する。少なくとも、上記第２搬送系と第３搬送系とにより一ライン上の搬送経路が形成され、第１搬送系を含めて搬送手段を構成する。
【００２６】
一方、カードプリンタ１１は、制御部６１を備え、第１搬送系（供給ローラ３３，３４）、第２搬送系（印字ローラ３８、搬送ローラ３６，３７，３９）及び第３搬送系（搬送ローラ５０，５１）に対応する第１駆動部６２、第２駆動部６３及び第３駆動部６４を備える。各駆動部は例えば駆動モータであり、制御部６１より駆動制御される。なお、カード読取部４３及びスキャナ部４９を動作させる動作制御部は図示を省略する。
【００２７】
すなわち、制御部６１は、カード媒体２１を処理毎に往路及び復路の少なくとも何れかでライン搬送させるものとして、第２駆動部６３及び第３駆動部６４に対し、上記スキャナ部４９による撮像では当該カード媒体２１を撮像に対応する第１搬送速度により搬送させ、上記印字ヘッド４４による印字では当該カード媒体２１を印字に対応する第２搬送速度で搬送させる制御処理のプログラムを少なくとも備える。
【００２８】
上記制御処理の際に、制御部６１は、第１検出センサ３２、第２検出センサ４２及び第３検出センサ４８からの各検出信号を取得し、カード読取部４３よりカード読取データを取得し、スキャナ部４９（第１ラインセンサ４９Ａ、第２ラインセンサ４９Ｂ）よりスキャンデータ（撮像データ）を取得する。また、印字ヘッド４４に対して印字制御信号を出力する。
【００２９】
制御部６１は、さらに外部制御装置とデータ授受可能に接続される。外部制御装置としてはディスプレイを備えるコンピュータであり、カードプリンタ１１に対応するアプリケーションソフトを備える。すなわち、制御部６１が取得したスキャンデータはディスプレイに表示され、操作者によってカード媒体２１の印字面２２Ｂが印字ヘッド４４側になるように挿入されたかが判別される。操作者が、正規の挿入と判別したときに印字内容の印字データを制御部６１に送出することで、当該制御部６１が印字タイミングに沿って印字制御信号により印字ヘッド４４を駆動制御する（図３で説明する）。
【００３０】
また、制御部６１は、カード媒体２１がカード読取部４３で読み取られたカード読取データのカード情報に基づいて当該カード媒体２１が正規品であるかどうかの真贋判別を行うプログラムを備える（図４で説明する）。さらに、カード媒体２１の印字面２２Ｂへの印字後に、当該印字面２２Ｂをスキャナ部４９で撮像させ、当該印字面２２Ｂの画像を印字内容と共にディスプレイに表示させることで操作者による内容確認を行わせるプログラムをも備えるものである（図５で説明する）。
【００３１】
そこで、図３及び図４に、図２のカードプリンタの第１実施形態における動作説明図を示す。上述のように、撮像処理及び印字処理をカード媒体供給側から往路のみのライン搬送で行う場合として説明する。
【００３２】
まず、図２に示すカード供給部３１内で、正規には印字面２２Ｂを上面としたカード媒体２１が第１検出センサ３２で検知されると、第１駆動部６２により第１搬送系の供給ローラ３３，３４が往路方向（カード供給側から見て奥側への方向）の回転で駆動されると共に、第２駆動部６３及び第３駆動部６４により第２搬送系の搬送ローラ３６，３７，３９及び印字ローラ３８並びに第３搬送系の搬送ローラ５０，５１が当該往路方向の回転で駆動される。この場合の第２搬送系及び第３搬送系による搬送速度は、当該カード媒体２１をスキャナ部４９での撮像に対応する第１搬送速度とされる。
【００３３】
第１搬送系により供給された当該カード媒体２１は、図３（Ａ）に示すように、可動切替板３５を押し下げて第２搬送系（搬送ローラ３６等）により一ライン上で搬送され、図３（Ｂ）に示すように、当該カード媒体２１の搬送方向先端を第３検出センサ４８が検知する。当該第３検出センサ４８の検知に応じてスキャナ部４９が搬送されてきたカード媒体２１に対して、図３（Ｃ）に示すように、情報面２２Ａを第１ラインセンサ４９Ａで撮像し、印字面２２Ｂを第２ラインセンサ４９Ｂで撮像する。当該カード媒体２１は、図３（Ｄ）に示すように、スキャナ部４９で撮像されながら第３搬送系に至り、撮像後に第３搬送系（搬送ローラ５０，５１）において一旦停止される。
【００３４】
カード媒体２１を第３搬送系で停止させた後、図４（Ａ）に示すように、第２駆動部６３及び第３駆動部６４により第２搬送系の搬送ローラ３６，３７，３９及び印字ローラ３８並びに第３搬送系の搬送ローラ５０，５１が復路方向（カード供給側に戻る方向）の回転で駆動される。この場合の第２搬送系及び第３搬送系による搬送速度は、途中での処理を対象とするものではないことから任意の速度で設定される。
【００３５】
復路方向で搬送されるカード媒体２１は、図４（Ｂ）に示すように、搬送方向先端が第２検出センサ４２で検知された時点で停止する。ここで、当該カード媒体２１に対してカード読取部４３で通信を行い、当該カード媒体２１よりカード情報（少なくとカード識別情報）が読み取られたカード読取データが制御部６１において取得されて真贋判定が行われる。ここでは、正規品として説明するが、贋物であった場合にはそのまま排出され、外部制御装置のディスプレイに表示される。
【００３６】
一方、スキャナ部４９で撮像されたカード媒体２１のスキャンデータ（撮像データ）は、制御部６１が取得して外部制御装置に送出する。外部制御装置では、スキャンデータがディスプレイに表示され、操作者によってカード媒体２１の印字面２２Ｂが印字ヘッド４４側になるように挿入されたかが判別され、操作者において、正規の挿入と判別したときに印字内容の印字データを作成して制御部６１に送出する。
【００３７】
制御部６１は、外部制御装置より印字データを取得すると、図４（Ｃ）に示すように、第２駆動部６３により第２搬送系の搬送ローラ３６，３７，３９及び印字ローラ３８を当該往路方向の回転で駆動させる。この場合の第２搬送系による搬送速度は、当該カード媒体２１を印字ヘッド４４による印字に対応する第２搬送速度とされる。
【００３８】
そこで、制御部６１が印字データに基づく印字タイミングに沿って印字制御信号を印字ヘッド４４に送出することでカード媒体２１の印字面２２Ｂに印字内容を印字させる。そして、図４（Ｄ）に示すように、印字処理が終了すると（破線のカード媒体２１）、第２駆動部６３により第２搬送系の搬送ローラ３６，３７，３９及び印字ローラ３８を復路方向の回転で所定搬送速度により駆動して当該カード媒体２１をカードスタッカ１３に排出させるものである。
【００３９】
このように、カード媒体２１の情報面２２Ａや印字面２２Ｂを撮像することで印字面２２Ｂを確認して確実に印字することができ、また、撮像処理、印字処理の処理毎に往路の搬送ライン上で（復路のライン搬送上でもよい）処理動作させることから、少なくとも撮像処理手段及び印字処理手段の各処理で次の処理領域に掛かるような配置とすることが可能となって装置の小型化を実現することができるものである。また、カード読取部４３によってカード媒体２１の真贋判定をも可能とし、構成要素を加えることによっても全体的に各処理で次の処理領域に掛かるような配置とすることが可能となって装置の小型化を実現することができるものである。
【００４０】
次に、図５に、図２のカードプリンタの第２実施形態における動作説明図を示す。図５は、カード媒体２１に対して印字処理を行った後に、当該印字内容を確認する動作の形態である。この場合、カード媒体２１に対して印字処理する動作は、図３（Ａ）〜（Ｄ）、図４（Ａ）〜（Ｃ）までの動作と同様であり、これ以降の動作について説明する。
【００４１】
すなわち、図５（Ａ）に示すようにカード媒体２１に対して印字処理が終了すると、第２駆動部６３により第２搬送系の搬送ローラ３６，３７，３９及び印字ローラ３８を復路方向の回転で所定搬送速度により駆動して当該カード媒体２１を搬送し、図５（Ｂ）に示すように当該カード媒体２１の搬送方向先端を第２検出センサ４２が検出すると一旦停止させる。
【００４２】
当該カード媒体２１を第２搬送系で停止させた後、図５（Ｃ）に示すように、第２駆動部６３及び第３駆動部６４により第２搬送系の搬送ローラ３６，３７，３９及び印字ローラ３８並びに第３搬送系の搬送ローラ５０，５１を往路方向の回転で第１搬送速度により駆動して搬送し、第３検出センサ４８の検知に応じてスキャナ部４９が搬送されてきたカード媒体２１に対して少なくとも印字面２２Ｂを第２ラインセンサ４９Ｂで撮像（情報面２２Ａをも第１ラインセンサ４９Ａで撮像してもよい）させ、撮像後に一旦停止させる。
【００４３】
カード媒体２１の印字面２２Ｂでのスキャンデータ（撮像データ）は制御部６１が取得して外部制御装置に送出することでディスプレイに表示させる。操作者によってカード媒体２１の印字面２２Ｂに正規の印字内容が印字されたことが確認された後、操作者の指示に従い、制御部６１が、図５（Ｄ）に示すように、第２駆動部６３により第２搬送系の搬送ローラ３６，３７，３９及び印字ローラ３８を復路方向の回転で所定搬送速度により駆動して当該カード媒体２１をカードスタッカ１３に排出させるものである。
【００４４】
このように、カード媒体２１に対して印字処理を行った後に、再度印字面２２Ｂを撮像することで印字内容が確実に印字されたかを確認させることができるものである。
【００４５】
次に、図６に、図２のカードプリンタの第３実施形態における動作説明図を示す。図６は、第１実施形態におけるカード媒体２１に対して印字処理は行わない場合を示したもので、当該カード媒体２１に対するスキャナ部４９により撮像し、第３搬送系で停止させるまでの動作は、図３（Ａ）〜（Ｄ）までの動作と同様であり、これ以降の動作について説明する。
【００４６】
すなわち、図６（Ａ）に示すように、カード媒体２１を第３搬送系で停止させた後、第２駆動部６３及び第３駆動部６４により第２搬送系の搬送ローラ３６，３７，３９及び印字ローラ３８並びに第３搬送系の搬送ローラ５０，５１が復路方向の回転で所定搬送速度により駆動される。
【００４７】
復路方向で搬送されるカード媒体２１は、図６（Ｂ）に示すように、搬送方向先端が第２検出センサ４２により検知された時点で停止する。ここで、当該カード媒体２１に対してカード読取部４３で通信を行い、当該カード媒体２１よりカード情報（少なくとカード識別情報）が読み取られてカード読取データが制御部６１において取得されて真贋判定が行われる。
【００４８】
そして、図６（Ｃ）に示すように、第２駆動部６３により第２搬送系の搬送ローラ３６，３７，３９及び印字ローラ３８を復路方向の回転で所定搬送速度により駆動して当該カード媒体２１をカードスタッカ１３に排出させる。
【００４９】
一方、スキャナ部４９で撮像されたカード媒体２１のスキャンデータ（撮像データ）は、制御部６１が取得して外部制御装置に送出する。外部制御装置では、スキャンデータがディスプレイに表示され、操作者によって、例えば情報面２２Ａの顔写真と所持者とを見比べて確認する。
【００５０】
また、当該カード媒体２１に対してカード読取部４３で通信を行い、当該カード媒体２１よりカード情報が読み取られてカード読取データが制御部６１において取得されて真贋判定が行われ、正規品か贋物かの判定データを外部制御装置に送出してディスプレイに表示させるものである。
【００５１】
このように、小型化のカードプリンタ１１において、印字処理を行わずに、単にカード媒体２１の所持者確認及び真贋判定の処理のみをも行うことができるものである。
【産業上の利用可能性】
【００５２】
本発明のカードプリンタは、カード媒体に印字等を行う装置の製造、販売、使用等に係る産業分野に利用可能である。
【符号の説明】
【００５３】
１１              カードプリンタ
１２              カード挿入口
１３              カードスタッカ
２１              カード媒体
２２Ａ            情報面
２２Ｂ            印字面
３１              カード供給部
３２              第１検出センサ
３３，３４        供給ローラ
３６，３７，３９  搬送ローラ
３８              印字ローラ
４０              フリーローラ
４２              第２検出センサ
４３              カード読取部
４４              印字ヘッド
４５              熱転写フィルムユニット
４６              熱転写フィルム
４８              第３検出センサ
４９              スキャナ部
４９Ａ            第１ラインセンサ
４９Ｂ            第２ラインセンサ
５０，５１        搬送ローラ
６１              制御部
６２              第１駆動部
６３              第２駆動部
６４              第３駆動部
【図１】
0006429671.tif 000002
【図２】
0006429671.tif 000003
【図３】
0006429671.tif 000004
【図４】
0006429671.tif 000005
【図５】
0006429671.tif 000006
【図６】
0006429671.tif 000007